(57)【要約】【課題】複数の盤面器具のパネルなどへの設置作業が簡単な盤面器具装着ユニットを得ることを目的とする。【解決手段】本発明はパネル５ａに取り付けられる盤面器具装着ユニットであって、複数の盤面器具１ｃなどそれぞれを正面に装着するための複数の装着部１ｂを有するユニット本体１と、ユニット本体１の背面側に設けられ、複数の装着部１ｂ内の盤面器具の背面側からの配線を集約してパネル５ａ側（コネクタ５ｃ）と電気的に接続するためのコネクタ部２とを備える。【選択図】        図９
2004336941.tif 000002
【特許請求の範囲】
【請求項１】
パネルなどに取り付けられる盤面器具装着ユニットであって、
複数の盤面器具それぞれを正面に装着するための複数の装着部を有するユニット本体と、
前記ユニット本体の背面側に設けられ、前記複数の装着部内の盤面器具の背面側からの配線を集約してパネルなど側と電気的に接続するためのコネクタ部と、を備えた盤面器具装着ユニット。
【発明の詳細な説明】
【０００１】
【発明が属する技術分野】
本発明は、制御盤などのパネルやキャビネットの扉など（以下、単に「パネルなど」と称す）に取り付けられる盤面器具装着ユニットに関する。
【０００２】
【従来の技術】
パネルなどに取り付けられる従来の盤面器具装着ユニットとしては特許文献１がある。
【０００３】
【特許文献１】実開昭５２−１５８３３０号公報
【０００４】
特許文献１では、配線用しゃ断器の操作把手や電流計などの複数の盤面器具が装着された器具取付枠を、パネルに設けられた切抜孔に取り付ける技術が開示されている。
【０００５】
【発明が解決しようとする課題】
しかしながら、パネルなど側との配線を盤面器具ごとに行わなければならず、設置作業が繁雑になるという問題点がある。例えば、制御盤設置後に発生するパネルなどの穴あけ加工や、ユーザーによるメンテナンスなどの理由によりパネルや扉をキャビネットから取り外す際、キャビネット内の機器と盤面器具との配線を中継する為に設置した端子台から盤面器具からの電線を取り外すが、加工やメンテナンスが終了した後の再配線で誤結線をする恐れがある。
【０００６】
また通常、制御盤に盤面器具を取り付ける場合、電流計，押しボタンスイッチ，セレクタスイッチ，表示灯などの器具それぞれに合わせてパネルなどに穴加工を施すが、それぞれ加工形状や外形寸法が異なる為、干渉しないように都度配置レイアウトを設計しなければならず手間が発生する。また加工後、盤面器具の変更が発生した場合、新規パネルなどに上記同様の加工を行う必要があり、手間，金額ともに無駄が発生してしまうという問題点がある。
【０００７】
本発明は上記の問題点を解決するためになされたものであり、複数の盤面器具のパネルなどへの設置作業が簡単な盤面器具装着ユニットを得ることを目的とする。
【０００８】
【課題を解決するための手段】
請求項１に記載の課題解決手段において、パネルなどに取り付けられる盤面器具装着ユニットであって、複数の盤面器具それぞれを正面に装着するための複数の装着部を有するユニット本体と、前記ユニット本体の背面側に設けられ、前記複数の装着部内の盤面器具の背面側からの配線を集約してパネルなど側と電気的に接続するためのコネクタ部とを備える。
【０００９】
【発明の実施の形態】
図１は本発明の実施の形態における盤面器具装着ユニットを示す斜視図である。図１に示すように、実施の形態の盤面器具装着ユニットは制御盤などのパネル５ａなどに取り付けられるものである。
【００１０】
まず、実施の形態の盤面器具装着ユニットの正面側について説明する。盤面器具装着ユニットのユニット本体１は前面に例えば盤面器具３ａ，３ｂ，３ｃ，３ｄそれぞれを装着するための複数の装着部１ａ，１ｂを有する。盤面器具３ａ，３ｂ，３ｃ，３ｄはそれぞれ、電流計、押しボタンスイッチ、セレクタスイッチ、表示灯である。盤面器具はパネルなどに取り付けられる器具であればよく、その他の例として液晶などの表示器でもよい。複数の装着部１ａ，１ｂそれぞれは、ユニット本体１の正面から凹む凹部１ｃ，１ｄを構成し、この凹部１ｃ，１ｄには正面から盤面器具が収納される。凹部１ｃ，１ｄの内壁には盤面器具の係合爪３ｋと係合して保持するための係合孔１ｅが設けられている。
【００１１】
また、例えば複数の凹部１ｃ，１ｄの開口は全て正方形に設計され、盤面器具の正面も同じ大きさの正方形に設計されているため、例えば図１，図２に示すように９０度毎に向きを変えて盤面器具を装着部１ａ，１ｂに装着することができる。なお、全ての図中の同じ符号は互いに同じ内容を示すので、説明は省略する。
【００１２】
また、しきり板３ｅ（図４）や銘板ブランク部品３ｆ（図５）は例えば着脱可能に構成されており、しきり板３ｅ、銘板ブランク部品３ｆ及び盤面器具を取り外したユニット本体１を図３に示す。図３に示すように上述同様、ユニット本体１は前面に盤面器具を装着するための複数の装着部１ａを有する。複数の装着部１ａそれぞれは、ユニット本体１の正面から凹む凹部１ｃを構成し、この凹部１ｃには正面から盤面器具が収納される。凹部１ｃの内壁には盤面器具の係合爪３ｋと係合して保持するための係合孔１ｅが設けられている。この凹部１ｃ内にしきり板３ｅを取り付けることで凹部１ｃ（装着部１ａ）は複数の凹部１ｄ（装着部１ｂ）に区画される。
【００１３】
また、図３のように複数の凹部１ｃの開口は全て同じ大きさの正方形であり、十字形のしきり板３ｅを取り付けることによって凹部１ｃは複数のマトリクス状の正方形の凹部１ｄに区画される。これによって、正面が正方形の様々な盤面器具をより自在に盤面器具装着ユニットの正面に配置でき、しかも美観が優れたものになる。例えば図３の全ての凹部１ｃにしきり板３ｅを取り付けて８つの凹部１ｄを構成すれば、図８に示すように８つの盤面器具を装着することができる。また、しきり板３ｅを取り外した場合、マトリクス状の正方形４つ分の大きな正方形が得られ、その正方形に合わせた大きな電流計，液晶の表示器などを取付け可能にできる。
【００１４】
さらに、銘板ブランク部品３ｆ（図５）に代えて文字などを記入することができる銘板部品３ｇ（図６）や、盤面器具が装着されない装着部を埋めるための盤面器具ブランク部品３ｈ（図７）などのアクセサリーによって様々な意匠の正面を構成することができる。
【００１５】
次に、実施の形態の盤面器具装着ユニットの背面側について説明する。図９は図８に示す盤面器具装着ユニットの側面図、図１０はこの背面図、図１１は図１０の盤面器具装着ユニットのうち、ユニット本体１の背面部分を取り外した内部構造図である。なお、図１１において左側の盤面器具の配線は省略している。
【００１６】
図８〜図１１に示すように、装着部１ａの背面側にはコネクタ部２が取り付けられている。コネクタ部２はプリント基板２ａと、プリント基板２ａ上に設けられたコネクタ２ｂ，２ｃとを含んで構成される。コネクタ２ｃと複数のコネクタ２ｂとは図示しないプリント配線によって互いに電気的に接続されている。コネクタ２ｂは望ましくはユニット本体１の背面の中央部に取り付けられ、その反対側に銘板ブランク部品３ｆが設けられる。また、コネクタ２ｂは複数の装着部１ｂ内の盤面器具３ｃなどの背面側からの配線３ｍが接続される。コネクタ２ｃは制御ボックス（キャビネット）５ｂ内に設置されている例えばコネクタ５ｃからのケーブル５ｄが接続される。このように、コネクタ部２は複数の装着部１ｂ内の盤面器具の背面側からの配線３ｍを集約してコネクタ５ｃ（パネルなど側）と電気的に接続する。
【００１７】
また、盤面器具の配線３ｍをコネクタ部２のコネクタ２ｂに接続するには、ユニット本体１の背面からカバー４を取り外して行う。
【００１８】
以上のように、複数の盤面器具を装着したユニット本体１をパネルなどに取り付け、複数の盤面器具とパネルなど側との電気的接続をコネクタ部２によって集約して行うことができるため、設置作業が簡単である。また、盤面器具が変更になった場合も新たに加工を施すことがなく、フレキシブルに変更できるため、手間，加工費，組立費などの削減になる。
【００１９】
また、図９に示すように盤面器具はすべて薄型に設計されており、盤面器具を収納する装着部１ａの奥行き寸法Ｗは同じ長さに統一して、可能な限り薄型に設計されている。また、配線３ｍをカバー４（図１０）で覆い、ユニット本体１の背面を平坦に構成した。かかる構成の盤面器具装着ユニットは制御ボックス５ｂの扉（パネル５ａ）に取り付けることが望ましく、ユニット本体１は薄型化を図り背面を平坦にしているので、支点５ｅ（図９）を中心に矢印方向に扉を開閉する際、制御ボックス５ｂ内の他の電気器具（図示せず）がユニット本体１背面に接触したり引っかかったりすることを防げる。
【００２０】
なお、本発明は図示するものに限らず、例えば、本発明が取り付けられるパネルや扉は制御盤の他に住宅用の分電盤などでもよい。また、盤面器具３ａ，３ｂ，３ｃ，３ｄ及び装着部１ａ，１ｂの正面は角度を変えて装着可能にするなどのため正方形にしたが、長方形など他の多角形や円形にしてもよい。
【００２１】
【発明の効果】
請求項１に記載の発明によれば、複数の盤面器具を装着したユニット本体をパネルなどに取り付け、複数の盤面器具とパネルなど側との電気的接続をコネクタ部によって集約して行うことができるため、設置作業が簡単である。また、盤面器具が変更になった場合も新たに加工を施すことがなく、フレキシブルに変更できるため、手間，加工費，組立費などの削減になる。
【図面の簡単な説明】
【図１】本発明の実施の形態の盤面器具装着ユニットを示す斜視図である。
【図２】本発明の実施の形態の盤面器具装着ユニットを示す斜視図である。
【図３】本発明の実施の形態のユニット本体を示す斜視図である。
【図４】本発明の実施の形態のしきり板を示す斜視図である。
【図５】本発明の実施の形態の銘板ブランク部品を示す斜視図である。
【図６】本発明の実施の形態の銘板部品を示す斜視図である。
【図７】本発明の実施の形態の盤面器具ブランク部品を示す斜視図である。
【図８】本発明の実施の形態の盤面器具装着ユニットを示す正面図である。
【図９】本発明の実施の形態の盤面器具装着ユニットを示す側面図である。
【図１０】本発明の実施の形態の盤面器具装着ユニットを示す背面図である。
【図１１】本発明の実施の形態の盤面器具装着ユニットを背面側から観た内部構造図である。
【符号の説明】
１  ユニット本体、２  コネクタ部、５ａ  パネル。
【図１】
2004336941.tif 000003
【図２】
2004336941.tif 000004
【図３】
2004336941.tif 000005
【図４】
2004336941.tif 000006
【図５】
2004336941.tif 000007
【図６】
2004336941.tif 000008
【図７】
2004336941.tif 000009
【図８】
2004336941.tif 000010
【図９】
2004336941.tif 000011
【図１０】
2004336941.tif 000012
【図１１】
2004336941.tif 000013